(57)【特許請求の範囲】
【請求項１】
筐体と、
前記筐体に一端を片持ち式に略水平に取り付けられるとともに、他端を開放端としてロール紙の装着が可能なロール紙装着部材と、
前記ロール紙装着部材の前記開放端側の長手方向に形成された長孔と、
前記長孔に沿って移動するとともに、表面に剥離処理が施され、前記ロール紙を前記ロール紙装着部材の長手方向において移動する開放端側の第１の回転ガイド体と、
前記ロール紙装着部材の筐体側において、表面に剥離処理が施され、円周部の一部を筐体から露出させ、他の部分を筐体内に収納して設けられる筐体側の第２の回転ガイド体と、
を備えることを特徴とするロール紙支持装置。
【請求項２】
前記第１及び第２の回転ガイド体は、円周面の円周方向に交差する方向に複数のリブが形成されていることを特徴とする請求項１に記載のロール紙支持装置。
【請求項３】
前記第１及び第２の回転ガイド体は、前記ロール紙装着部材に形成された孔に挿通される軸部と、この軸部に対して着脱自在かつ回転自在に形成された円筒状のガイド体本体とから成ることを特徴とする請求項１又は２に記載のロール紙支持装置。
【発明の詳細な説明】
【技術分野】
【０００１】
本発明は、特に、糊が付着したロール紙の繰出しを円滑とし、かつ、ロール紙の振れを防止して用紙（ロール紙）供給の安定化を図ったロール紙支持装置に関する。
【背景技術】
【０００２】
従来、供給軸あるいはガイド部材にラベル連続体を装着し、所定の位置に位置決めするような支持装置が知られている（例えば、特許文献１参照）。
特許文献1に開示され、図７に示されるロール紙支持装置５０は、「ラベルプリンタのロック機構」であり、主に、供給軸兼用のガイド部材５１と、ロック操作部５２と、第1および第２の用紙ガイド部材５３ａ、５３ｂと、ガイド部材５１の上面の長手方向Ｗに長孔５４を備えており、ロック操作部５２を外側に倒した上でガイド部材５１にラベル連続体Ｌを装着し、ロック操作部５２を介しガイド部材５１の長手方向Ｗにおいて長孔５４に沿って第１および第２の用紙ガイド部材５３ａ、５３ｂを移動させ、ラベル連続体（ロール紙）Ｌに当接させることにより長手方向Ｗにおける所定の位置にラベル連続体Ｌを位置決めするとともに、ロック操作部５２を起こすことにより長手方向Ｗでのブレを抑止するようになっている。
ところで、ガイド部材５１に装着されたラベル連続体Ｌは印字に応じ繰り出されるが、ラベル連続体Ｌの種類や使用環境によっては用紙ガイド部材５３ａ、５３ｂに糊が付着することがある。例えば、ラベル連続体Ｌの種類が、長尺状基材の片面に糊が付着された、いわゆる、台紙なしラベルと称されるロール紙であると用紙ガイド部材５３ａ、５３ｂなどへの糊の付着は一層顕著であり、糊の付着によりラベル連続体Ｌの繰り出しに影響を及ぼす虞があるという問題があった。
【先行技術文献】
【特許文献】
【０００３】
【特許文献１】特開平９−２０２０１３号公報
【発明の概要】
【発明が解決しようとする課題】
【０００４】
本発明は、上記の問題点に着目して成されたものであり、糊の付着を軽減し、以って用紙（ロール紙）の安定した供給を実現したロール紙支持装置を提供することを課題とする。
【課題を解決するための手段】
【０００５】
本発明の請求項１に係るロール紙支持装置は、筐体と、前記筐体に一端を片持ち式に略水平に取り付けられるとともに、他端を開放端としてロール紙の装着が可能なロール紙装着部材と、前記ロール紙装着部材の前記開放端側の長手方向に形成された長孔と、前記長孔に沿って移動するとともに、表面に剥離処理が施され、前記ロール紙を前記ロール紙装着部材の長手方向において移動する開放端側の第１の回転ガイド体と、前記ロール紙装着部材の筐体側において、表面に剥離処理が施され、円周部の一部を筐体から露出させ、他の部分を筐体内に収納して設けられる筐体側の第２の回転ガイド体と、を備えることを特徴とする。
また、第１及び第２の回転ガイド体は、円周面の円周方向に交差する方向に複数のリブが形成されるようにできる。
また、第１及び第２の回転ガイド体は、ロール紙装着部材に形成された孔に挿通される軸部と、この軸部に対して着脱自在かつ回転自在に形成された円筒状のガイド体本体とから成るようにできる。
【発明の効果】
【０００６】
本発明のロール紙支持装置は、ロール紙が繰り出される際、第１および第２の回転ガイド体がロール紙装着部材で回転するため繰り出しが円滑であり、しかも、回転ガイド体の円周部においてロール紙は点接触状態となるため、先の回転と相俟って糊が付着しにくいという効果がある。
また、回転ガイド体の円周面の円周方向に交差する方向に複数のリブを形成するようにすれば、回転ガイド体の表面に糊が直接付くことがなく、以て回転ガイド体全体への糊の付着が防止できる。
また、回転ガイド体を、長孔に挿通される軸部と、この軸部に対して着脱自在かつ回転自在に形成された円筒状のガイド体本体とから成るようにすれば、ガイド体本体部を軸部に対して着脱するだけで回転ガイド体の交換ができる。
さらに、第２の発明に係るロール紙支持装置は、長孔に沿って一対の回転ガイド体を互いに近接離間可能に案内する連動部材を備えるようにしたので、ロール紙を幅方向の中央部位で位置決め可能であり、かつ、回転ガイド体の回転によりロール紙の繰り出しが円滑であるという効果がある。
【図面の簡単な説明】
【０００７】
【図１】本発明に係るロール紙支持装置の概略斜視図である。
【図２】同、図１中、矢示ＩＩ方向より見た正面図である。
【図３】同、ロール紙装着部材における回転ガイド体を示す一部破断の概略正面図である。
【図４】他の実施の形態のロール紙支持装置を示す平面図である。
【図５】同、回転ガイド体を示す概略斜視図である。
【図６】同、図５中、矢示ＶＩ方向より見た平面図である。
【図７】従来のロール紙支持装置を示す概略斜視図である。
【発明を実施するための形態】
【０００８】
以下、本発明の一実施の形態につき、図１ないし図３に基づいて説明する。
なお、以下では、従来と共通する部分については、同一符号を以て示すこととし、重複する説明は省略する。
【０００９】
図１は、本発明に係るロール紙支持装置の概略斜視図であり、図２は、図１中、矢示ＩＩ方向より見た正面図、図３は、ロール紙装着部材における回転ガイド体を示す一部破断の概略正面図である。
同図に示すように、ロール紙支持装置１は、主に、ロール紙装着部材２と、一対の回転ガイド体３ａ、３ｂとを備える。
【００１０】
ロール紙装着部材２は、その一端（根本側）を筐体４側に固定し、他端を開放端とすることによって筐体４側に対して片持ち状態に支持される。そして、開放端側よりロール紙Ｌが装着できるようになっており、ロール紙Ｌの「供給軸」の役目を果たせるようになっている。また、このロール紙装着部材２には、その上面部の開放端側の長手方向Ｗ（ロール紙Ｌの幅方向）に、長孔５が形成され、また、根本側の筐体４内には、図示省略の挿通孔が形成されている。
【００１１】
回転ガイド体３は、軸部６と円筒状のガイド体本体７とが一体的に形成されており、軸部６が前記ロール紙装着部材２の長孔５に挿通される第１の回転ガイド体３ａと、軸部６が挿通孔（図示省略）に挿通される第２の回転ガイド体３ｂから成り、長孔５および挿通孔（図示省略）に挿通した第１および第２の回転ガイド体３ａ、３ｂの軸部６は、ロール紙装着部材２の裏面にてイーリング８にて係合して抜け止めされるとともに、回転自在に設けられている（図３参照）。
そして、第１の回転ガイド体３ａは、ロール紙装着部材２上にておいて前記長孔５に沿って長手方向Ｗに移動可能になっており、他方、第２の回転ガイド体３ｂは、筐体４内に形成された挿通孔（図示省略）において回転自在に設けられ、かつ、回転ガイド体３ｂの円周部の一部が筐体４から露出した状態で設けられている。
なお、４ａは、筐体４に形成されたカバー体であり、このカバー体４ａは、筐体４内に設けられた第２の回転ガイド体３ｂの装着・交換時に取り外せるようにネジ９にて止めてある（図１参照）。
【００１２】
次に、図１ないし図３に基づき、ロール紙支持装置１の使用状態を説明する。
ロール紙装着部材２の開放端側よりロール紙Ｌを装着し、ロール紙Ｌに当接させながら第１の回転ガイド体３ａを長孔５に沿って根本（筐体４）側に押し込んで移動する。
押し込まれたロール紙Ｌは、第２の回転ガイド体３ｂに当接することにより、ロール紙装着部材２の長手方向Ｗの奥側（筐体４側）に位置決めされる。
【００１３】
このとき、第２の回転ガイド体３ｂの円周部の一部が筐体４より露出した状態で設けられているため、ロール紙Ｌは筐体４に接触することがない。したがって、筐体４より露出した円周部が、ロール紙Ｌを案内する際の「奥基準面」となる。
【００１４】
また、第１および第２の回転ガイド体３ａ、３ｂに側面を支持された状態で装着されたロール紙Ｌは、印字作動によりロール紙装着部材２より繰出されるが、回転ガイド体３がロール紙装着部材２上で回転するため繰り出しが円滑であり、しかも、回転ガイド体３の円周部においてロール紙Ｌは点接触状態となるため、先の回転と相俟って糊（図示省略）が付着しにくいものである。
なお、回転ガイド体３の表面は、シリコンなどを塗布した剥離処理を施し、糊がつきにくいようにしてもよい。
【００１５】
回転ガイド体３の交換時、すなわち、磨耗あるいは糊の付着などにより交換する場合は、ロール紙装着部材２の裏面で抜け止め防止、かつ、回転自在に回転ガイド体３を取り付けているイーリング８を軸６部分より外すことにより、ロール紙装着部材２から取り外すことができ、また、新しい回転ガイド体３を取り付ける際は、軸６部分を長孔５および挿通孔（図示省略）に挿通してイーリング８にて止めることができるため、回転ガイド体３は着脱自在とされるものである。
なお、筐体４側に取り付けた第２の回転ガイド体３ｂは、交換の際、ネジ９を外した上、カバー体４ａを取り外すことにより、交換作業が容易となる。
【００１６】
上述したように、ロール紙装着部材２に装着したロール紙Ｌは、両端を第１および第２の回転ガイド体３ａ、３ｂにて支持されるとともに、繰出される際、回転ガイド体３が回転するためロール紙Ｌの繰り出しが円滑であり、さらに、ロール紙Ｌと回転ガイド体３とが点接触状態となるため、糊が付着しにくい。
【００１７】
次に、主に、図４ないし図６に基づき、他の実施の形態につき説明する。
なお、以下において、先の実施の形態と同様の部分は同一符号を付すに止め、詳説を省略する。
図４は、本実施の形態のロール紙支持装置を示す平面図、図５は、本実施の形態で用いる回転ガイド体を示す概略斜視図、図６は、図５中、矢示ＶＩ方向より見た平面図である。
【００１８】
同図に示すように、ロール紙支持装置１１は、ロール紙装着部材１２と、一対の回転ガイド体１３ａ、１３ｂと、連動部材１４とを備える。
【００１９】
ロール紙装着部材１２は、筐体４側に片持ち支持されており、かつ、上面部の開放端側および筐体４側の両端部の長手方向Ｗ（ロール紙Ｌの幅方向）に、長孔１５が形成されている。
【００２０】
回転ガイド体１３（１３ａ、１３ｂ）は、軸部６とガイド体本体１７とより形成されており、ガイド体本体１７は、軸部６に対して着脱自在、かつ、回転自在に設けられるとともに、ガイド体本体１７には、円周面の円周方向Ｓと交差する方向（図５における上下方向）に、円周面より突出して複数のリブ１７ａが形成されている。
そして、回転ガイド体１３は、軸部６を長孔１５より挿通し、ロール紙装着部材１２の裏面にて後述する連動部材１４に図示省略のネジ等により固定される。
【００２１】
連動部材１４は、主に、ピニオン（歯車）１８、このピニオン１８に歯合する一対のラック１９ａ、１９ｂより成り、ラック１９ａ、１９ｂは、前記長孔１７を挿通した軸部６を固定している。
そして、連動部材１４の働きにより第１および第２の回転ガイド体１３ａ、１３ｂは、お互いに近接する方向、あるいは離間する方向に連動して移動するようになっている。
【００２２】
上記のロール紙支持装置１１にロール紙Ｌを装着するには、ロール紙装着部材１２の開放端側よりロール紙Ｌを装着し、長孔１５に沿って回転ガイド体１３ａを筐体４側に移動すると、一対の回転ガイド体１３ａ、１３ｂが近接する方向に移動しロール紙Ｌの側面に当接して停止する。このとき回転ガイド体１３ａ、１３ｂは、連動部材１４の働きで同じ距離移動するため、ロール紙Ｌは、いわゆる「センター振り分け」と称する中央部位に位置決めされるものである。
【００２３】
なお、回転ガイド体１３ａ、１３ｂが、最も離間した状態のとき、ロール紙装着部材１２の根元側の回転ガイド体１３ｂは、円周部の一部が筐体４から露出した状態で設けられ、他の部分が筐体４内に収容された状態で位置決めされるが、交換時、開放端側の回転ガイド体１３ａを筐体４側、すなわち、回転ガイド体１３ｂ側に近接する方向に移動させると、回転ガイド体１３ａが移動したのと同じ距離、他方の回転ガイド体１３ｂも回転ガイド体１３ａに近接する方向に移動するため、筐体４から全体が露出し、さらに、前述したように、連動部材１４のラック１９に固定された軸部６に対してガイド体本体１７が着脱自在とされるため、交換作業が容易となる。
【００２４】
また、回転ガイド体１３のガイド体本体１７の円周面に、円周面より突出してリブ１７ａが形成されており、リブ１７ａに点接触するため、円周面全体が糊により汚れることがないものである。
その他の構成、作用、効果については、先の実施の形態と略同一につき詳説を省略する。
【００２５】
なお、上記実施の形態の構成及び動作は例であって、本発明の趣旨を逸脱しない範囲で適宜変更することができることは言うまでもない。
【符号の説明】
【００２６】
Ｌ    ロール紙（ラベル連続体）
Ｗ    長手方向
１    ロール紙支持装置
２    ロール紙装着部材
３    回転ガイド体
３ａ  第１の回転ガイド体
３ｂ  第２の回転ガイド体
４    筐体
４ａ  カバー体
５    長孔
６    軸部
７    ガイド体本体
８    イーリング
９    ネジ
１１  ロール紙支持装置（第２の実施の形態）
１２  ロール紙装着部材
１３、１３ａ、１３ｂ  ロール紙ガイド体
１４  連動部材
１５  長孔
１７  ガイド体本体
１７ａ  リブ
１８  ピニオン（歯車）
１９  ラック
【図１】
0005612454.tif 000002
【図２】
0005612454.tif 000003
【図３】
0005612454.tif 000004
【図４】
0005612454.tif 000005
【図５】
0005612454.tif 000006
【図６】
0005612454.tif 000007
【図７】
0005612454.tif 000008